(57)【要約】  【課題】  映像と音を出すパネル状の映像表示装置の背面側にスピーカーを設けた場合においても、前面側にスピーカーを設けた場合と同様の音効果を得る。  【解決手段】  映像表示装置１は、パネル状の装置本体２と、スタンド３と、備えている。パネル状の装置本体２は、前面側に映像表示部２１を備え、背面側にスピーカー２２を備えていて、情報記録媒体挿入口２３から挿入されたメモリーカード等の情報記録媒体２４に記録した映像と音の再生を行なう。スタンド３は、前記装置本体２のスピーカー２２の音を装置本体２の背面側から装置本体２の前面側に導く音通路３１を備えている。  【選択図】  図２
2005156645.tif 000002
【特許請求の範囲】
【請求項１】
前面側に映像表示部を備え、背面側にスピーカーを備え、情報記録媒体に記録した映像と音の再生が可能なパネル状の装置本体と、該装置本体を所定の角度に立てた状態に支持するスタンドと、を備え、
前記スタンドは、前記装置本体のスピーカーの音を装置本体の背面側から装置本体の前面側に導く音通路を備えていることを特徴とする映像表示装置。
【請求項２】
請求項１に記載の映像表示装置において、
前記スタンドは、前記装置本体に着脱可能になっていることを特徴とする映像表示装置。
【請求項３】
請求項２に記載の映像表示装置において、
前記スタンドは、前記装置本体の下端部を載置する台座部と、該台座部の一端部に連設されていて先端の装置当接面が前記装置本体の背面に当接して該背面を支持する背面支持部と、を備え、
前記音通路は、一端側が前記装置本体の背面側に配置したスピーカーの周囲を囲むように前記背面支持部の装置当接面に開口し、他端側が前記台座部の前面側に開口していることを特徴とする映像表示装置。
【請求項４】
請求項３に記載の映像表示装置において、
前記装置当接面は、垂直方向に対して所定の角度に傾斜していることを特徴とする映像表示装置。
【請求項５】
請求項３に記載の映像表示装置において、
前記台座部は、載置した装置本体に設けた爪係合部に係合する爪片を備えていることを特徴とする映像表示装置。
【請求項６】
請求項１に記載の映像表示装置において、
前記スタンドは、前記装置本体に対して一直線状に伸ばした状態から所定の角度に傾斜させた状態に回動可能に組付けられていることを特徴とする映像表示装置。
【請求項７】
請求項６に記載の映像表示装置において、
前記スタンドは、電池収納部を備えていることを特徴とする映像表示装置。
【発明の詳細な説明】
【技術分野】
【０００１】
本発明は、前面側に映像表示部を備え、背面側にスピーカーを備え、情報記録媒体に記録した映像と音の再生が可能なパネル状の装置本体と、該装置本体を立てた状態に支持するスタンドと、を備えた映像表示装置に関するもので、特に、装置本体の背面側に配置されているスピーカーの音を音通路によって装置本体の背面側から装置本体の前面側に導くことにより映像表示装置の音響性能を向上させたものである。
【背景技術】
【０００２】
写真等のパネルを立てるスタンドとして、図１１に示すものが知られている。前記スタンド１０１は、保形性を有するシート状基板１０２と、該シート状基板１０２の一端縁１０３に沿って設けられた第１曲げ加工部１０４を介して前記シート状基板１０２に対して傾斜してパネル１０５の裏面１０５ａに接着される保持片１０６と、該保持片１０６と直交する方向の第２曲げ加工部１０７により形成されていて前記シート状基板１０２に対して所定角度で傾斜する傾斜支持脚１０８と、該傾斜支持脚１０８の自由端側に設けられた第３の曲げ加工部１０９を介して前記傾斜支持脚１０８の傾斜に応じて曲がり且つパネル１０５の裏面１０５ａに接着されて前記傾斜支持脚１０８のパネル１０５に対する位置決めを行なう位置決め片１１０と、からなっていて、専ら写真等を貼り付けたパネル１０５を立てるスタンドとして使用されている。（例えば、特許文献１）
ところで、近年、メモリーカード等の情報記録媒体に記録した映像や音を再生する一般にフォトスタンドと称されているパネル状の映像表示装置が開発されている。図１２に示すように、上記映像表示装置２０１は、前面側に映像表示部２０２を備え、背面側にスピーカー２０３を備えていて、メモリーカード等の情報記録媒体２０４に記録した映像と音の再生を行なうようになっている。パネル状映像表示装置２０１の背面側にスピーカー２０３を配置したのは、スピーカー２０３を前面側に配置すると映像表示部２０２の枠２０５の幅を広げなければならなくなり、そのぶんパネル状の映像表示装置２０１が大型になり、或いは映像表示部２０２が狭められてしまうからである。
【０００３】
一方、前記パネル状の映像表示装置のスタンドとしては、例えば図１３に示すような外部記憶装置３０１のスタンド３０２が利用される。図１４に示すように、外部記憶装置３０１のスタンド３０２は、外部記憶装置３０１を載置する装置載置面３０３と、外部記憶装置３０１を挟着する装置挟着面３０４，３０５と、脚部３０６と、を備えた左右一対のスタンド構成体３０７，３０８を長溝状のビス受溝３０９，３１０とビス３１１，３１２で、前記一対の装置挟置面３０３，３０４を接近或いは離間方向に移動可能に結合することにより構成されていて、前記一対の装置挟置面３０３，３０４で外部記憶装置３０１を挟んで起立状態に保持するようになっている。（例えば、特許文献２）
【特許文献１】実開平０６−０００２１４号公報
【特許文献２】特開平０５−２６６６４３号公報
【発明の開示】
【発明が解決しようとする課題】
【０００４】
ところで、前記外部記憶装置のスタンド３０２を、前記前面側に液晶等の映像表示部２０２を備え、背面側にスピーカー２０３を備え、メモリーカード等の情報記録媒体２０４に記録した映像と音の再生を行なうようになっているパネル状の映像表示装置２０１のスタンドとして使用した場合には、前記パネル状の映像表示装置２０１においては、スピーカー２０３が背面側に設けられているという性質上、スピーカー２０３からの音は、専らパネル状の映像表示装置２０１の背面側に伝播され、パネル状映像表示装置２０１の前面側には伝播され難い。特に、指向性の高い高音の音域成分が損なわれるために、所謂篭った音になってしまうという問題点があった。
【０００５】
前記問題点は、パネル状映像表示装置２０１の前面側の映像表示部２０２の外側の枠２０５の部分にスピーカー２０３を配置することにより解決されるが、前記枠２０５の部分にスピーカー２０３を配置するためには枠２０５の幅を広げなければならない。スピーカー２０３のユニットは、最低でもφ２０ｍｍ程度の大きさがあるため、前記枠２０５にスピーカー２０３のユニットを配置するためにはそれ以上に枠２０５の幅を広げなければならない。前記枠２０５を広げるとそのぶんパネル状の映像表示装置２０１が大型になってしまう。また、パネル状映像表示装置２０１の大きさを変えずに枠２０５を広げるとそのぶん映像表示部２０２が小型になってしまう。
【０００６】
本発明の目的は、装置の背面側にスピーカーを設けた場合においても、前記スピーカーからの音を装置の前面側に導くことにより、前面側にスピーカーを設けた場合と同様の音響効果を得ることのできる映像表示装置を提供することにある。
【０００７】
また、本発明の他の目的は、スタンドを電池収納部として有効に使用することにある。
【課題を解決するための手段】
【０００８】
請求項１の発明は、前面側に映像表示部を備え、背面側にスピーカーを備え、情報記録媒体に記録した映像と音の再生が可能なパネル状の装置本体と、該装置本体を立てた状態に支持するスタンドと、を備えた映像表示装置において、
前記スタンドに、前記装置本体のスピーカーの音を装置本体の背面側から装置本体の前面側に導く音通路を設けることにより、
映像表示装置の背面側に設けられているスピーカーから背面側に送り出された音を前記音通路で映像表示装置の前面側に導く構成にした。
【０００９】
請求項２の発明は、請求項１に記載の映像表示装置において、装置本体に対してスタンドを着脱可能にした。
【００１０】
請求項３の発明は、請求項２に記載の映像表示装置において、スタンドを、装置本体の下端部を載置する台座部と、該台座部の一端部に連設されていて先端の装置当接面が前記装置本体の背面に当接する背面支持部と、で構成すると共に、前記音通路の一端側を、前記装置本体の背面側に配置したスピーカーの周囲を囲むように前記背面支持部に開口させ、他端側を前記台座部の前面側に開口させた。
【００１１】
請求項４の発明は、請求項３に記載の映像表示装置において、パネル状映像表示装置のスタンドの背面支持部の先端の装置当接面を、垂直方向に対して所定の角度に傾斜させた。
【００１２】
請求項５の発明は、請求項３に記載の映像表示装置において、スタンドの台座部に、載置した装置本体に設けた爪係合部に係合する爪片を設けた。
【００１３】
請求項６の発明は、請求項１に記載の映像表示装置において、前記スタンドを、前記装置本体に対して一直線状に伸ばした状態から所定の角度に傾斜させた状態に回動可能に取付けた。
【００１４】
請求項７の発明は、請求項６に記載の映像表示装置において、前記スタンドに電池収納部を設けた。
【発明の効果】
【００１５】
本発明のパネル状映像表示装置のスタンドには、次に述べるような効果がある。
（１）請求項１の映像表示装置は、装置本体の背面側に設けられているスピーカーから背面側に送り出された音をスタンドに設けた音通路で映像表示装置の前面側に導くので、映像表示装置の前面側にスピーカーを設けたのと略同様の音響効果を得ることができる。また、映像表示装置の前面側にスピーカーを設ける場合のように、映像表示部の枠の幅を広げたりする必要がなくなる。
（２）請求項２の映像表示装置は、装置本体に対してスタンドを着脱可能にしたので、スタンドが必要でない時には装置本体からスタンドを取り外すことができ収納等に便利なものになる。
（３）請求項３の映像表示装置は、装置本体の下端部を台座部で支持し、該台座部の一端部に連設された背面支持部の先端の装置当接面で装置本体の背面を支持する。そして、前記装置当接面に一端側が開口し、他端側が前記台座部の前面側に開口する音通路によって、装置本体の背面側に配置したスピーカーの音を装置本体の前面側に導く。
（４）請求項４の映像表示装置は、装置本体の背面をスタンドの背面支持部の先端の装置当接面を当接させることにより、装置本体を所定の傾斜角度に倒した状態で支持することができる。
（５）請求項５の映像表示装置は、スタンドの台座部に設けた爪片を装置本体に設けた爪係合部に係合することにより装置本体はスタンドの台座部上に位置決め固定されて、装置本体の下端部が台座部上で滑って倒れたりするのを防止できる。
（６）請求項６の映像表示装置は、装置本体に対してスタンドを回動させることにより装置本体を垂直に起立させた状態や所定の傾斜角度に傾斜させた状態に支持することができる。
（７）請求項７の映像表示装置は、スタンドに電池を収納する構成にしたので、装置本体から電池収納部を除去することができる。
【発明を実施するための最良の形態】
【００１６】
図１〜図６は、第1の実施の形態を映像表示装置１であり、パネル状の装置本体２に対してスタンド３を着脱可能にした場合を示す。
【００１７】
図１はパネル状の装置本体２とスタンド３を分離した状態の斜視図である。図２はパネル状の装置本体２をスタンド３で支持した状態の斜視図である。
【００１８】
パネル状の装置本体２は、前面側に映像表示部２１を備え、背面側にスピーカー２２を備えていて、情報記録媒体挿入口２３から挿入されたメモリーカード等の情報記録媒体２４に記録した映像と音の再生を行なうようになっている。
【００１９】
スタンド３は、前記装置本体２のスピーカー２２の音を装置本体２の背面側から装置本体２の前面側に導く音通路３１を備えている。
【００２０】
図３に示すように、映像表示部２１は、液晶ユニット２５とバックライト２６とを備えている。前記バックライト２６の背面側には回路基板２７およびスピーカー２２が配置されていて、情報記録媒体挿入口２３から挿入されたメモリーカード等の情報記録媒体２４に記録された映像信号および音声信号を処理して、映像表示部２１に映像を表示し、スピーカー２２から音を流すようになっている。
【００２１】
図４に示すように、パネル状の装置本体２は、偏平な長四角形状に形成されていて、背面２ａ側の中央部にスピーカー２２が配置されている。パネル状の装置本体２の周面２ｂ，２ｃ，２ｄ，２ｅは傾斜面になっていて、これら周面２ｂ，２ｃ，２ｄ，２ｅのうちの隣接する長辺側の周面２ｂと短辺側の周面２ｃには、次に説明するスタンド３の台座部３２の一対の脚部３２ａ，３２ｂの上面３２ｃに設けた一対の爪片３４，３４がそれぞれ係合する一対の爪係合部２８，２８が設けられている。なお、図4において、２９はスイッチ基板、３０は電源コードである。
【００２２】
図１に示すように、スタンド３は、パネル状の装置本体２の下端部を載置する台座部３２と、該台座部３２の一端部に連設されていて先端の装置当接面３３ａがパネル状の装置本体２の背面２ａに当接して前記パネル状の装置本体２を傾斜させた状態に支持する背面支持部３３と、を備えている。
【００２３】
台座部３２は、一対の脚部３２ａ，３２ｂを備えている。これら一対の脚部３２ａ，３２ｂの上面３２ｃは、傾斜面になっていて、図３に示すように、前記一対の脚部３２ａ，３２ｂの傾斜状の上面３２ｃにパネル状の装置本体２の長辺側の周面２ｂを載置することにより、パネル状の装置本体２を所謂横置きにして所定の角度に傾斜させた状態に支持する。また、図６に示すように、前記一対の脚部３ａ，３ｂの傾斜状の上面３ｃにパネル状の装置本体２の短辺側の周面２ｃを載置することにより、パネル状の装置本体２を所謂縦置きにして所定の角度に傾斜させた状態に支持する。
【００２４】
図２に示すように、一対の脚部３２ａ，３２ｂの上面３２ｃには、パネル状の装置本体２の周面２ｂ，２ｃに設けた一対の爪係合部２８，２８に係合する一対の爪片３４，３４が設けられている。
【００２５】
前記背面支持部３３の先端の装置当接面３３ａは、垂直方向に対して所定の傾斜角度に傾斜していて、パネル状の装置本体２の背面側２ａを当接させると、パネル状の装置本体２は、自ずと所定の角度に傾斜するようになっている。
【００２６】
音通路３１は、一端側３１ａが前記背面支持部３３の先端の装置当接面３３ａに開口して、図2に示すように、パネル状の装置本体２の背面２ａ側に配置したスピーカー２２の周囲を囲むようになっていると共に、他端側３１ｂが前記台座部３２の前面側の中央部である前記一対の脚部３２ａ，３２ｂの間に開口している。
【００２７】
次に、前記映像表示装置１の作用について説明する。パネル状の装置本体２を横置きする場合は、図３に示すように、スタンド３の台座部３２の一対の脚部３２ａ，３２ｂの傾斜状の上面３２ｃにパネル状の装置本体２の長辺側の周面２ｂを載せ、該長辺側の周面２ｂに設けた爪係合部２８，２８に前記一対の脚部３２ａ，３２ｂの上面３２ｃに設けた爪係合部２８，２８を係合させて、パネル状の装置本体２の下端部を位置決めする。そして、パネル状の装置本体２の背面２ａをスタンド３の背面支持部３３の先端の装置当接面３３ａに当接させることにより、図2に示すように、パネル状の装置本体２を所定の傾斜角度に傾斜させた状態に支持する。そして、前記装置当接面３３ａに設けた音通路３１の一端側３１ａがスピーカー２２の周囲を囲み、図５に示すように、前記スピーカー２２から発せられた音は、音通路３１を通ってパネル状の装置本体２の前面側に導かれて前記一対の脚部３２ａ，３２ｂの間に開口する音通路３１の他端側３１ｂから外部に送り出されるのである。
【００２８】
また、パネル状の装置本体２を縦置きする場合は、図６に示すように、スタンド３の一対の脚部３２ａ，３２ｂの傾斜状の上面３２ｃにパネル状の装置本体２の短辺側の周面２ｃを載せ、該周面２ｃに設けた爪係合部２８，２８に一対の爪片３４，３４を係合させて、パネル状の装置本体２の下端部を位置決めする。そして、パネル状の装置本体２の背面２ａをスタンド３の背面支持部３３の先端の装置当接面３３ａに当接させることにより、パネル状の装置本体２を所定の角度に傾斜させた状態に支持する。
【００２９】
そして、前記装置当接面３３ａに設けた音通路３１の一端側３１ａがスピーカー２２の周囲を囲み、前記スピーカー２２から発せられた音は、音通路３１を通ってパネル状の装置本体２の前面側に導かれて前記一対の脚部３２ａ，３２ｂの間に開口する音通路３１の他端側３１ｂから外部に送り出されるのである。
【００３０】
図７〜図１０は、第２の実施の形態の映像表示装置１を示す。この実施の形態の映像表示装置１において、スタンド３は、図７に示すように、パネル状の装置本体２に対して一直線状に伸ばした状態から、図８に示すように、パネル状の装置本体２に対して所定の角度に傾斜させた状態に回動可能にパネル状の装置本体２に組付けられている。
【００３１】
図９に示すように、パネル状の装置本体２は、前面側に映像表示部２１を備え、背面側にスピーカー２２を備えていて、情報記録媒体挿入口２３から挿入されたメモリーカード等の情報記録媒体２４に記録した映像と音の再生を行なうようになっている。スピーカー２２は、装置本体２の下端側の略中央部に設けられている。４１はメモリーカードコネクター、４２はＤＣコネクターである。
【００３２】
図１０に示すように、スタンド３は、略円筒状に形成された電池収納部５１と、該電池収納部５１の両側部に設けられた一対のアーム５２，５３と、で構成されていて、前記一対のアーム５２，５３でパネル状の装置本体２の下端側の両側面を挟んだ状態で軸５４によりパネル状の装置本体２に回動可能に取付けられている。前記電池収納部５１には乾電池や充電可能なニッケル水素型の電池５５等が収納されている。
【００３３】
図９に示すように、スタンド３をパネル状の装置本体２に対して所定の角度、例えば２５°に傾斜させパネル状の装置本体２をデスク面６１等に立てた状態において、前記装置本体２のスピーカー２２の音を装置本体２の背面側から装置本体２の前面側に導く音通路３１が、前記スタンド３およびパネル状の装置本体２に設けられている。
【００３４】
第２の実施の形態の映像表示装置１は、上述のような構成であるから、図７に示すように、スタンド３をパネル状の装置本体２に対して一直線状に伸ばした状態にすることによって、映像表示装置１が厚くなるのを防止して収納等に便利なものにすることができる。また、図８に示すように、スタンド３をパネル状の装置本体２に対して傾斜させることによって、パネル状の装置本体２をデスク面６１等に所定の傾斜角度で立てた状態に支持することができる。特に、スタンド３には電池５１が収納されていて、スタンド３は重くなっているのでパネル状の装置本体２を安定した状態に支持することができる。そして、スピーカー２２の音は、スタンド３およびパネル状の装置本体２に設けられた音通路３１から装置本体２の前面側に導かれる。
【図面の簡単な説明】
【００３５】
【図１】装置本体からスタンドを取り外した状態の斜視図（第1の実施の形態）。
【図２】装置本体にスタンドを取付けた状態の斜視図（第1の実施の形態）。
【図３】断面図（第1の実施の形態）。
【図４】装置本体の背面図（第1の実施の形態）。
【図５】作用を示す断面図（第1の実施の形態）。
【図６】装置本体を縦置きした状態の断面図（第1の実施の形態）。
【図７】装置本体に対してスタンドを一直線状に伸ばした状態の側面図（第２の実施の形態）。
【図８】スタンドを使用状態にした側面図（第２の実施の形態）。
【図９】断面図（第２の実施の形態）。
【図１０】装置本体の背面図（第２の実施の形態）。
【図１１】スタンドの斜視図。
【図１２】映像表示装置の斜視図。
【図１３】外部記憶装置とスタンドの斜視図。
【図１４】スタンドの斜視図。
【符号の説明】
【００３６】
１…映像表示装置、２…パネル状の装置本体、３…スタンド、２１…映像表示部、２２…スピーカー、２４…情報記録媒体（メモリーカード）、２８，２８…一対の爪係合部，３１…音通路、３１ａ…音通路の一端側、３１ｂ…音通路の他端側、３２…台座部、３２ａ，３２ｂ…一対の脚部、３３…背面支持部、３３ａ…装置当接面、３４，３４…一対の爪片。
【図１】
2005156645.tif 000003
【図２】
2005156645.tif 000004
【図３】
2005156645.tif 000005
【図４】
2005156645.tif 000006
【図５】
2005156645.tif 000007
【図６】
2005156645.tif 000008
【図７】
2005156645.tif 000009
【図８】
2005156645.tif 000010
【図９】
2005156645.tif 000011
【図１０】
2005156645.tif 000012
【図１１】
2005156645.tif 000013
【図１２】
2005156645.tif 000014
【図１３】
2005156645.tif 000015
【図１４】
2005156645.tif 000016